(57)【要約】      （修正有）【課題】  エリア間の特定の方向への移動を自動的に規制することが可能な移動管理システムを提供する。【解決手段】作業者のエリア間の境界における移動方向を管理する入場衛生管理システムであって、ＲＦＩＤタグと、出口側受信機と、入口側受信機と、自動ドアと、入場管理装置１とを備えている。ＲＦＩＤタグは、作業者が携帯し、自身を特定するための特定信号を発信する。出口側受信機は、出口側近傍エリアに存在するＲＦＩＤタグからの特定信号を受信し、入口側近傍エリアに存在するＲＦＩＤタグからの特定信号を受信しない。また、入口側受信機は、入口側近傍エリアに存在するＲＦＩＤタグからの特定信号を受信し、出口側近傍エリアに存在するＲＦＩＤタグからの特定信号を受信しない。【選択図】        図２
2007004631.tif 000002
【特許請求の範囲】
【請求項１】
移動管理対象（２０）の第１エリア（Ａ４０）と第２エリア（Ａ５０）との境界における移動方向を管理する移動管理システム（１００）であって、
前記移動管理対象（２０）が携帯し、自身を特定するための特定信号を発信する発信機（３０）と、
前記第１エリア（Ａ４０）に存在する前記発信機（３０）からの前記特定信号を受信し、前記第２エリア（Ａ５０）に存在する前記発信機（３０）からの前記特定信号を受信しない第１受信機（４０）と、
前記第２エリア（Ａ５０）に存在する前記発信機（３０）からの前記特定信号を受信し、前記第１エリア（Ａ４０）に存在する前記発信機（３０）からの前記特定信号を受信しない第２受信機（５０）と、
前記第１エリア（Ａ４０）と前記第２エリア（Ａ５０）との境界に設けられ、前記移動管理対象（２０）の通過を許可する許可モードと通過を制限する制限モードとを実現する通過制限手段（１０）と、
前記発信機（３０）からの前記特定信号を前記第１受信機（４０）が受信した後に同一の前記発信機（３０）からの前記特定信号を初めて前記第２受信機（５０）が受信するという許可条件を満たした場合に前記通過制限手段（１０）を許可モードとし、前記発信機（３０）からの前記特定信号を前記第２受信機（５０）が受信して前記許可条件を満たさない場合に前記通過制限手段（１０）を制限モードとなるように制御する制御部（７０）と、
を備えた移動管理システム（１００）。
【請求項２】
前記制御部（７０）は、前記発信機（３０）からの前記特定信号を前記第１受信機（４０）が受信した後に同一の前記発信機（３０）からの前記特定信号を前記第２受信機（５０）が初めて受信した時から所定時間経過後に同一の前記発信機（３０）からの前記特定信号を前記第２受信機（５０）が再度受信した場合に、前記通過制限手段（１０）を制限モードとする、
請求項１に記載の移動管理システム（１００）。
【請求項３】
前記制御部（７０）は、前記通過制限手段（１０）の制御において、前記許可モードよりも前記制限モードを優先させて制御する、
請求項１または２に記載の移動管理システム（１００）。
【請求項４】
前記通過制限手段（１０）は、前記制限モードを実現する場合において、開かないようにロックさせるドアと、閉じた状態にさせる自動ドアと、音声で報知させる報知装置と、表示によって報知させる報知ランプと、の少なくともいずれか１つを有している、
請求項１から３のいずれか１項に記載の移動管理システム（１００）。
【請求項５】
前記第１エリア（Ａ４０）近傍に設けられ、温度管理と、湿度管理と、気圧管理と、除菌管理と、粉塵除去管理と、付着物除去管理との少なくともいずれか１つの衛生管理を行う衛生管理手段（１６）をさらに備え、
前記第１エリア（Ａ４０）は、前記衛生管理手段（１６）によって、前記第２エリア（Ａ５０）よりも高レベルの衛生管理が行われている、
請求項１から４のいずれか１項に記載の移動管理システム（１００）。
【請求項６】
前記通過制限手段（１０）が前記制限モードとなった場合に前記第２受信機（５０）が受信する前記発信機（３０）からの前記特定信号を記録する履歴メモリ（６０）をさらに備えた、
請求項１から５のいずれか１項に記載の移動管理システム（１００）。
【発明の詳細な説明】
【技術分野】
【０００１】
本発明は、移動管理システム、特に、２つの隣接するエリア間における管理対象の移動方向を管理する移動管理システムに関する。
【背景技術】
【０００２】
従来より、所定の通過位置に設けられたセンサによって、人間が当該位置を通過したか否かを検知し、通過人数をカウントすることができる通過人数検知装置が提案されている。この通過人数検知装置によると、例えば、ある会場の入り口等にセンサを設置することにより、会場内に入場した人数を自動的にカウントすることができる。
上述した従来の通過人数検知装置では、人間を検知する精度を向上させるためにカメラ等の高価なセンサを多数用いているため、システムコストが高くなっている。
【０００３】
これに対して、以下の特許文献１に示すように、人間の移動方向に直行する向きに配列された複数の光センサからなる光センサ群を通過位置に設置する等して、カメラ等の高価なセンサを用いることなく低コストで高精度な検知を可能とした通過人数検知装置の開発が進んでいる。また、この特許文献１に記載の通過人数検知装置では、上記光センサ群を、人間の移動する方向に２列設けることで、通過する人間の移動方向を把握できるようになっている。
【特許文献１】特開平１０−７９０１２号公報
【発明の開示】
【発明が解決しようとする課題】
【０００４】
ところが、上記特許文献１に記載の通過人数検知装置は、単に通過人数をカウントして移動方向を特定するだけであり、特定の方向への移動を規制する処置は何ら施されていない。また、このような移動を規制するに際して、どのような対象の人間を規制するのかという処置についても何ら施されていない。このため、エリア間における人間の特定の方向への移動を規制したい場合に、これらを自動的に行うことができない。
【０００５】
本発明は上述した点に鑑みてなされたものであり、本発明の課題は、エリア間の特定の方向への移動を自動的に規制することが可能な移動管理システムを提供することにある。
【課題を解決するための手段】
【０００６】
第１発明に係る移動管理システムは、移動管理対象の第１エリアと第２エリアとの境界における移動方向を管理する移動管理システムであって、発信機と、第１受信機と、第２受信機と、通過制限手段と、制御部とを備えている。発信機は、移動管理対象が携帯し、自身を特定するための特定信号を発信する。第１受信機は、第１エリアに存在する発信機からの特定信号を受信し、第２エリアに存在する発信機からの特定信号を受信しない。また、第２受信機は、第２エリアに存在する発信機からの特定信号を受信し、第１エリアに存在する発信機からの特定信号を受信しない。通過制限手段は、第１エリアと第２エリアとの境界に設けられ、移動管理対象の通過を許可する許可モードと通過を制限する制限モードとを実現する。制御部は、発信機からの特定信号を第１受信機が受信した後に同一の発信機からの特定信号を初めて第２受信機が受信するという許可条件を満たした場合に通過制限手段を許可モードとし、発信機からの特定信号を第２受信機が受信して許可条件を満たさない場合に通過制限手段を制限モードとなるように制御する。なお、ここでの移動管理対象としては、自らの意思で移動できる人間だけでなく、自らの意思では移動できないモノ等が含まれる。このモノは、人間と共に移動させられたり、機械的に移動させられる場合等において本発明の対象とされる。また、通過制限手段としては、例えば、ドアという物理的な仕切りだけでなく、赤／青信号の表示による警告や、警報ブザー音による警告等も含まれる。なお、ここでの第１エリアや第２エリアは、必ずしも空間的に仕切られているエリアのみを意味するものではない。すなわち、空間的に仕切られたある空間において、第１受信機や第２受信機が発信機からの特定信号を受信可能な特定の空間等も含まれる。
【０００７】
従来の移動管理システムでは、エリア間における特定の方向への移動を規制する処置、構成が設けられておらず、また、どのような対象の移動を規制するのかという処置も何ら施されていない。
これに対して第１発明の移動管理システムでは、特定信号を発信する発信機を携帯している移動管理対象について、第１受信機による第１エリア内の発信機の存否の把握と、第２受信機による第２エリア内の発信機の存否の把握とが可能になる。そして、制御部が、発信機からの特定信号を第１受信機が受信した後に同一の発信機からの特定信号を初めて第２受信機が受信するという許可条件を満たした場合に、通過制限手段を許可モードとなるように制御している。これにより、移動管理対象のうち許可条件を満たす対象について順方向への移動を自動的に許可することができる。また、制御部７０は、発信機からの特定信号を第２受信機が受信して許可条件を満たさない場合に、通過制限手段を制限モードとなるように制御している。これにより、移動管理対象のうち許可条件を満たさない対象について逆行を自動的に抑制することができる。
したがって、発信機を携帯している各移動管理対象毎に、エリア間の特定の方向への移動を自動的に規制することが可能になる。
【０００８】
第２発明に係る移動管理システムは、第１発明の移動管理システムであって、制御部は、発信機からの特定信号を第１受信機が受信した後に同一の発信機からの特定信号を第２受信機が初めて受信した時から所定時間経過後に同一の発信機からの特定信号を第２受信機が再度受信した場合に、通過制限手段を制限モードとする制御を行う。
ここでは、第１受信機が受信した後に同一の発信機からの特定信号を第２受信機が初めて受信して移動管理対象が第２エリアに入った場合に、所定時間経過後に制限モードとする制御を行っている。これにより、第２エリアに留まっている移動管理対象が再び第１エリアに戻ってしまうことを抑制できるようになる。
【０００９】
第３発明に係る移動管理システムは、第１発明または第２発明の移動管理システムであって、制御部は、通過制限手段の制御において、許可モードよりも制限モードを優先させて制御する。
ここでは、第１受信機と第２受信機とにおいて、それぞれ別々の発信機からの特定信号を受信するタイミングが重なることがあっても、制限モードが優先的に適用される。これにより、逆行の防止を徹底して、より確実に逆行を規制することが可能になる。
【００１０】
第４発明に係る移動管理システムは、第１発明から第３発明のいずれかの移動管理システムであって、通過制限手段は、制限モードを実現する場合において、開かないようにロックさせるドアと、閉じた状態にさせる自動ドアと、音声で報知させる報知装置と、表示によって報知させる報知ランプと、の少なくともいずれか１つを有している。
【００１１】
ここでは、制限モードを実現する場合において、通過制限手段として、開かないようにロックさせるドア、閉じた状態にさせる自動ドア、音声で報知させる報知装置、表示によって報知させる報知ランプのいずれかが採用される。ここで、ドアは、制限モードにおいては開かないようにロックされるため、有効に逆行を防止できる。また、自動ドアも、制限モードにおいては閉じた状態とされるため、有効に逆行を防止できる。また、報知装置は、制限モードにおいては音声で報知して移動管理対象等に知らせることができるため、有効に逆行を防止できる。また、報知ランプは、制限モードにおいては表示によって報知して移動管理対象等に知らせることができるため、有効に逆行を防止できる。このように通過制限手段として、ドア、自動ドア、報知装置、表示ランプのいずれが採用された場合であっても、移動管理対象のエリア間の逆行を有効に規制することが可能になる。
【００１２】
第５発明に係る移動管理システムは、第１発明から第４発明のいずれかの移動管理システムであって、第１エリア近傍に設けられ、温度管理と、湿度管理と、気圧管理と、除菌管理と、粉塵除去管理と、付着物除去管理との少なくともいずれか１つの衛生管理を行う衛生管理手段をさらに備えている。第１エリアは、衛生管理手段によって、第２エリアよりも高レベルの衛生管理が行われている。例えば、衛生管理において、温度や湿度を対象とする場合には、清浄化手段は空調装置等が該当する。
【００１３】
高レベルの清潔管理されている場所に、低レベルの清潔管理しか行われていない場所に滞在していた対象が移動してくると、高レベルでの清潔度を維持することが困難になることがある。
これに対して、ここでは、清潔度の異なるエリア間の移動を管理する場合に、汚染されているエリアから清浄化手段によって清浄管理が行われているエリアへの移動を防止することができる。このため、清浄管理が行われているエリアへのゴミやホコリや細菌等の侵入を抑え、衛生管理の質を向上させることが可能になる。
また、清浄管理を行う際において、清浄化手段を稼働させる場合の負荷を低減することも可能になる。
【００１４】
第６発明に係る移動管理システムは、第１発明から第５発明のいずれかの移動管理システムであって、通過制限手段が制限モードとなった場合に第２受信機が受信する発信機からの特定信号を記録する履歴メモリをさらに備えている。
【００１５】
ここでは、通過制限手段を制限モードとした原因を作った移動管理対象について、各移動管理対象毎に履歴が記録されている。このため、エリア間を逆行した移動管理対象についての後の管理に役立てることができる。
例えば、頻繁に逆行する移動管理対象について、履歴メモリに基づいて、違反者として注意を喚起することが可能となり、衛生管理意識を高める手段の一つとして利用することが可能になる。
【発明の効果】
【００１６】
第１発明に係る移動管理システムでは、発信機を携帯している各移動管理対象毎に、エリア間の特定の方向への移動を自動的に規制することが可能になる。
第２発明に係る移動管理システムでは、第２エリアに留まっている移動管理対象が再び第１エリアに戻ってしまうことを抑制できるようになる。
第３発明に係る移動管理システムでは、逆行の防止を徹底して、より確実に逆行を規制することが可能になる。
【００１７】
第４発明に係る移動管理システムでは、通過制限手段として、ドア、自動ドア、報知装置、表示ランプのいずれが採用された場合であっても、移動管理対象のエリア間の逆行を有効に規制することが可能になる。
第５発明に係る移動管理システムでは、このため、清浄管理が行われているエリアへのゴミやホコリや細菌等の侵入を抑え、衛生管理の質を向上させることが可能になる。
【００１８】
第６発明に係る移動管理システムでは、エリア間を逆行した移動管理対象についての後の管理に役立てることができる。
【発明を実施するための最良の形態】
【００１９】
＜発明の概略＞
本発明は、移動管理対象の第１エリアと第２エリアとの境界における移動方向を管理する入場衛生管理システム等を提供する。本発明の入場衛生管理システムでは、移動管理対象にＲＦＩＤ発信機を携帯させている。そして、第１受信機が第１エリアに存在するＲＦＩＤ発信機からの特定信号を受信し、第２受信機が第２エリアに存在するＲＦＩＤ発信機からの特定信号を受信する。このため、第１、第２受信機による特定信号の受信の有無によって、第１、第２エリアにおける移動管理対象の存否を判断できる。また、第１、第２受信機が受信するＲＦＩＤ発信機からの特定信号によってどの移動管理対象が存在しているのかについても特定できる。これにより、所定方向への移動を許可して逆方向への移動を規制するという制御を自動化させて、移動管理対象の逆行を抑制することができる点に特徴がある。
【００２０】
以下、本発明の入場衛生管理システム１００について、具体的に説明する。
＜入場衛生管理システム１００の概略構成＞
次に、本発明の一実施形態が採用された入場衛生管理システム１００が適用される食品工場の外観概略図を図１に、入場衛生管理システムの概略構成図を図２に、それぞれ示す。
【００２１】
入場衛生管理システム１００は、一度準清潔エリアＡ３等に滞在し作業者２０が清潔エリアＡ２に逆行することを防止したり、衛生管理を行う目的で作業者２０に対して入場する際に複数の清浄化行程を課す場合において、各作業者２０毎に各行程の履行が適切に行われたか否かを管理するためのシステムである。各作業者２０には、ＲＦＩＤタグ３０が付されており、これにより作業者２０毎の衛生管理を行う。なお、実際には、各作業者２０の着用する帽子にＲＦＩＤタグ３０が付されているが、以下、「作業者２０に付されている」として説明する。
【００２２】
食品工場は、図１に示すように、主として、エアシャワールームＡ１、清浄エリアＡ２、準清浄エリアＡ３、汚染エリアＡ４、外部エリアＡ５とから構成されている。
作業者２０は、図１に示すように、所定の清浄化行程を履行しながら、外部エリアＡ５から、順に、エアシャワールームＡ１、清潔エリアＡ２、準清潔エリアＡ３、汚染エリアＡ４へと移動ながら、食品に関する作業を行い、外部エリアＡ５に出ることになる。この食品工場では、衛生管理の観点から、上述した移動方向（順方向）に逆行するような移動が規制されている。例えば、準清潔エリアＡ３に滞在した作業者２０は、そのままの状態で清潔エリアＡ２に逆行することが禁じられており、一端外部エリアＡ５に退場して清浄化行程を再度履行した後でなければ清潔エリアＡ２に入場することができない。
【００２３】
ここでの、ＲＦＩＤタグ３０が付された作業者２０に対して課されている清浄化行程としては、図２に示すように、まず初めに、作業者２０の着用物に付着しているゴミやホコリをローラー９１を用いて除去する作業が課されている。そして、ローラー９１による除去作業を終えた作業者２０は、洗剤を用いて十分に手を洗い、除菌する作業を行う。次に、入場しようとする作業者２０のその日の体温が非接触に測定される。体温が測定された作業者２０は、さらに、エアシャワールームＡ１に入り、エアシャワーを受けて自身に付着しているゴミ、細菌等を除去する。これらをいずれも適切に行ったと認定された作業者２０のみが清潔エリアＡ２に入場することができる。
【００２４】
ここで、各作業者２０毎に清浄化行程の全部が十分に履行されたか否かは、上記ＲＦＩＤタグ３０を用いた入場衛生管理システム１００の入場管理装置１によって判断され、入場の許可不許可が管理される。
この入場衛生管理システム１００は、主として、複数の自動ドア１０、ローラー９１、水洗装置９２、非接触体温測定装置９３、エアシャワー装置９４、空調装置１６、複数のＲＦＩＤタグ３０、複数の出口側受信機４０、複数の入口側受信機５０、入場管理装置１等から構成されている。
【００２５】
自動ドア１０は、エアシャワールーム自動ドア１１、清潔エリア自動ドア１２、準清潔エリア自動ドア１３、汚染エリア自動ドア１４、外部エリア自動ドア１５とから構成されている。これら各自動ドア１１、１２、１３、１４、１５は、図３に示すように、入場管理装置１と接続されており、各作業者２０の順方向への通過を許可しつつ、逆方向の通過を規制するように開閉制御が行われる。
【００２６】
ローラー９１は、図２に示すように、ローラーおよび認証コーナーにおいて用いられ、作業者２０の着用物に付着しているゴミやホコリを除去するためのものである。このローラー９１は、操作部分を手にとって使用するものであり、この操作部分の表面には指紋認証センサ８０が、また操作部分の内部には加速度センサ８１が設けられている。このローラー９１によるホコリ取りが行われると、指紋認証センサ８０から指紋認証用取得データＤ８が取得され、データベース６０に格納している指紋認証管理データＤ１中のデータと比較される。また、入場管理装置１は、図２に示すように、指紋認証用取得データＤ８が取得されると同時に、認証用受信機４６がそのローラー９１操作を行っている作業者２０に付されているＲＦＩＤタグ３０の特定信号を受信する。これにより、入場管理装置１は、指紋認証用取得データＤ８と受信したＲＦＩＤタグ３０の特定信号とを対応付けて、ＲＦＩＤ対応付けデータＤ２としてデータベース６０に格納する。これにより、入場管理装置１は、以降の清浄化の各行程については、毎回生体認証作業を行うことなく、作業者２０のＲＦＩＤタグ３０の特定信号を基準として、各行程の履行の有無を判断することができる。
【００２７】
水洗装置９２は、図２に示すように、手洗いコーナーにおいて用いられ、図示しない赤外線センサと、洗浄液が出る部分と、水が出る部分とを有している。水洗装置９２は、作業者２０がこの赤外線センサに向けて手をかざすだけで、洗浄液や水を所定時間もしくは所定量出すことができるようになっている。これにより、作業者２０は、蛇口に触れてひねる等の動作を行うことなく、手の殺菌清浄化を行うことができるため、衛生的である。また、ここでも、入場管理装置１は、手洗い受信機４７に、ＲＦＩＤタグ３０毎の特定信号の受信の有無を判断させ、作業者２０別（ＲＦＩＤタグ３０の特定信号別）に各行程の履行の有無のデータを記憶していく。
【００２８】
非接触体温測定装置９３は、図２に示すように、体温測定コーナーにおいて用いられ、非接触に作業者２０の体温を測定するための非接触温度センサ８３と、図示しない測定ポイント調節機能とを備えている。非接触体温測定装置９３は、体温測定受信機４８が受信するＲＦＩＤタグ３０の特定信号に対応するデータをデータベース６０の個人別体温測定ポイント管理データＤ３に基づいて測定位置が制御されることで、作業者２０毎に顔の位置を特定してセンシングを行い、作業者２０毎の体温データを非接触かつ確実に測定する。測定された体温は、データベース６０に格納されている個人別平熱データＤ４の対応データと比較されて、入場の許可、不許可が制御される。
【００２９】
エアシャワー装置９４は、図２に示すように、エアシャワールームＡ１において用いられ、作業者２０がエアシャワールームＡ１に入ったことを検知する赤外線センサ（図示せず）と、様々な方向から作業者２０に対して空気圧を与える空気吹出し部分（図示せず）とを有している。また、ここでも、入場管理装置１は、エアシャワー受信機５１に、ＲＦＩＤタグ３０毎の特定信号の受信の有無を判断させる。
【００３０】
空調装置１６は、清潔エリアＡ２を対象として、温度、湿度、気圧、除菌等の調整を行う。除菌機能では、空気中に存在するカビ菌等の除菌を行う。この空調装置１６は、図３に示すように入場管理装置１と接続され、清潔エリアＡ２の清浄度合いが高くなるように運転制御される。また、気圧が制御されることで、準方向に空気流れが形成されるようにしている。これにより、空気流れにのって細菌が移動することを防止している。
【００３１】
出口側受信機４０は、作業者２０の帽子に付されているＲＦＩＤタグ３０から所定範囲内の特定信号を受信する受信機であり、外部エリア出口側受信機４１と、エアシャワー出口側受信機４２と、清潔エリア出口側受信機４３と、準清潔エリア出口側受信機４４と、汚染エリア出口側受信機４５とから構成されている。外部エリア出口側受信機４１は、図１に示すように、順方向における外部エリアＡ５の出口近傍に設置されており、外部エリアＡ５の出口近傍エリアＡ５１内に存在する作業者２０に付されているＲＦＩＤタグ３０からの特定信号を受信する。また、エアシャワー出口側受信機４２、清潔エリア出口側受信機４３、準清潔エリア出口側受信機４４、汚染エリア出口側受信機４５についても、上記外部エリア出口側受信機４１と同様であり、それぞれのエリアの順方向における出口側に設置されており、それぞれの出口近傍エリアＡ４１、Ａ４２、Ａ４３、Ａ４４、Ａ４５内に存在する作業者２０に付されているＲＦＩＤタグ３０からの特定信号を受信する。また、ここでも、入場管理装置１は、出口側受信機４０に、ＲＦＩＤタグ３０毎の特定信号の受信の有無を判断させる。
【００３２】
入口側受信機５０は、作業者２０の帽子に付されているＲＦＩＤタグ３０から所定範囲内の特定信号を受信する受信機であり、エアシャワー入口側受信機５１と、清潔エリア入口側受信機５２と、準清潔エリア入口側受信機５３と、汚染エリア入口側受信機５４と、外部エリア入口側受信機５５とから構成されている。エアシャワー入口側受信機５１は、図１に示すように、順方向におけるエアシャワールームＡ１の入口近傍に設置されており、エアシャワールームＡ１の入口近傍エリアＡ５１内に存在する作業者２０に付されているＲＦＩＤタグ３０からの特定信号を受信する。また、清潔エリア入口側受信機５２、準清潔エリア入口側受信機５３、汚染エリア入口側受信機５４および外部エリア入口側受信機５５についても、上記エアシャワー入口側受信機５１と同様であり、それぞれのエリアの順方向における入口側に設置されており、それぞれの入口近傍エリアＡ５２、Ａ５３、Ａ５４、Ａ５５内に存在する作業者２０に付されているＲＦＩＤタグ３０からの特定信号を受信する。また、ここでも、入場管理装置１は、入口側受信機５０に、ＲＦＩＤタグ３０毎の特定信号の受信の有無を判断させる。
【００３３】
入場管理装置１は、システムブロック図を示す図３および図２において示すように、主として、データベース６０、ＣＰＵ７０、ＲＯＭ７１、ＲＡＭ７２とから構成されている。
データベース６０は、図３に示すように、指紋認証管理データＤ１、ＲＦＩＤ対応付けデータＤ２、個人別体温測定ポイント管理データＤ３、個人別平熱管理データＤ４および違反者履歴データＤ５が格納されている。このうち、指紋認証管理データＤ１は、作業者２０毎の指紋を予め取得して作業者２０毎に対応付けて記憶しているデータである。また、ＲＦＩＤ対応付けデータＤ２は、上述したように、指紋認証用取得データＤ８とＲＦＩＤタグ３０からの特定信号とを対応付けたデータである。個人別体温測定ポイント管理データＤ３は、非接触温度センサ８３によって各個人の体温を正確に測定するために、予め取得された個人別の顔の高さ位置のデータである。個人別平熱管理データＤ４は、各個人別において予め取得された平熱データである。違反者履歴データＤ５は、作業者２０が順方向に移動せず、逆方向に移動した場合に、その作業者２０を特定するために対応するＲＦＩＤタグ３０の特定信号と対応付けて格納されるデータである。この他にも、清浄化行程を行わない作業者２０についてのデータも格納されていく。
【００３４】
＜入場衛生管理システム１００の入場管理の具体例＞
本入場衛生管理システム１００では、上述したように、ローラー、手洗い、体温測定、エアシャワー等の複数の行程を履行した作業者２０のみが清潔エリアＡ２に入場することができる。ここで、各行程についての具体的な判断例を、図４を上から参照しつつ説明する。
【００３５】
まず、ローラー９１を用いた指紋認証センサ８０による指紋認証、ＲＦＩＤタグ３０からの特定信号による登録、ローラーが十分に利用されたことを示す加速度センサ８１の検知、認証された作業者２０が平熱であること、エアシャワーを行って入場すること、の各行程を履行しており、この作業者２０は清潔エリアＡ２への入場が許可される。
次に、指紋認証において、データベース６０の指紋認証管理データＤ１に対応するデータが存在しない場合には、不法に侵入しようとしている部外者であるとして、入場管理装置１によって「詐称」している作業者２０であると判断され、入場できない。
【００３６】
また、作業者２０がローラー９１に触れることなく指紋認証を行わないで、エアシャワールームまで侵入した場合には、データベース６０のＲＦＩＤ対応付けデータＤ２に対応付けられた認証データが存在しないことになり、行程の履行をごまかして侵入しようとしている部外者であるとして、入場管理装置１によって「詐称」している作業者２０であると判断され、入場できない。
【００３７】
一方、作業者２０がローラー９１に触れることで指紋認証は行われたが、十分にローラー９１によるホコリ取りを行うことないことにより加速度センサ８１が検知しなかった場合には、十分に清浄化された者ではないとして、入場管理装置１によって「不衛生」な作業者２０であると判断され、入場できない。
また、ローラー９１による作業や平熱であること等の行程をクリアした作業者２０であっても、エアシャワーが実行されずに清潔エリアＡ２に入場しようとしている場合には、入場管理装置１によって「不正な場所」からの入場を行う作業者２０であると判断され、入場できない。
【００３８】
次に、非接触温度センサ８３によって測定された作業者２０の体温が、データベース６０の個人別平熱データＤ４と一致しないもしくは所定の誤差範囲内にない場合には、入場管理装置１によって「体調不良」の作業者２０であると判断され、入場できない。
最後に、指紋認証等を全く行っていないにもかかわらず入場しようとする場合には、不法に侵入しようとしている部外者であるとして、入場管理装置１によって「不法侵入者」の作業者２０であると判断され、入場できない。
これにより、清潔エリアＡ２等に入場することができる作業者２０を特定の衛生的な者に限定することができ、衛生管理を徹底することができる。
【００３９】
＜入場衛生管理システム１００の逆行防止管理＞
本入場衛生管理システム１００の逆行防止管理について、図５を参照しつつ説明する。なお、ここでは、汚染エリアＡ４から準清潔エリアＡ３へと向かう逆行を防止する場合の汚染エリア自動ドア１４の開閉制御について説明するが、他の自動ドア１０についても同様である。
【００４０】
まず、作業者２０が準清潔エリア出口近傍エリアＡ４４内に入った場合に、準清潔エリア出口側受信機４４は、その作業者２０に付されたＲＦＩＤタグ３０の特定信号を受信する。そして、準清潔エリア出口側受信機４４の受信を把握した入場管理装置１は、汚染エリア入口近傍エリアＡ５４内のＲＦＩＤタグ３０からの特定信号について汚染エリア入口側受信機５４における受信があるか否かチェックする。ここで、入場管理装置１において、汚染エリア入口側受信機５４の受信がないと判断された場合には、汚染エリア自動ドア１４を開けるように制御する（許可モード）。これにより、順方向への作業者２０の移動時の汚染エリア自動ドア１４の開状態につけ込んで、逆行されることを防いでいる。
【００４１】
また、作業者２０が汚染エリア入口近傍エリアＡ５４に存在する場合には、上述したように、許可モードに優先させて汚染エリア自動ドア１４は閉じた状態となる（制限モード）ように制御される。しかし、これでは、順方向に移動しようとしている作業者２０が通過できなくなってしまう。このため、汚染エリア自動ドア１４に付随して設けられているブザー装置（図示せず）を鳴らすことによって、汚染エリア入口近傍エリアＡ５４に存在している作業者２０に対して、汚染エリア入口近傍エリアＡ５４から離れるように注意を喚起する警報音を発する。これにより順方向に移動しようとしている作業者２０の移動を、逆行を防止しつつ、実現できるようになる。
【００４２】
さらに、入場管理装置１は、汚染エリア入口近傍エリアＡ５４に入ってから所定時間以上経過した後に同一のＲＦＩＤタグ３０からの特定信号を汚染エリア入口側受信機５４が再度受信した場合に、自動ドア１０を制限モードとする制御を行っている。このため、汚染エリア入口近傍エリアＡ５４に留まっている作業者２０が再び準清潔エリアＡ３へ逆行することを抑制できる。
【００４３】
＜本実施形態の入場衛生管理システム１００の特徴＞
（１）
従来の入場衛生管理システムでは、エリア間での特定の方向への移動を規制する処置、構成が設けられておらず、また、どのような対象の移動を規制するのかという処置も何ら施されていない。
【００４４】
これに対して、本実施形態における入場衛生管理システム１００では、ＲＦＩＤタグ３０が付されている作業者２０について、例えば、エアシャワー出口側受信機４２によるエアシャワー出口近傍エリアＡ４２内のＲＦＩＤタグ３０の存否の把握と、清潔エリア入口側受信機５２による清潔入口近傍エリアＡ５２内のＲＦＩＤタグ３０の存否の把握とが可能になる。そして、入場管理装置１が、ＲＦＩＤタグ３０からの特定信号をエアシャワー出口側受信機４２が受信した後に同一のＲＦＩＤタグ３０からの特定信号を初めて清潔エリア入口側受信機５２が受信するという許可条件を満たした場合に、清潔エリア自動ドア１２を自動的に開けるように制御している。これにより、作業者２０のうち許可条件を満たす人間について順方向への移動を自動的に許可することができる。また、入場管理装置１は、ＲＦＩＤタグ３０からの特定信号を清潔エリア入口側受信機５２が受信して許可条件を満たさない場合（例えば、所定時間以上経過した場合）に、清潔エリア自動ドア１２が閉じた状態になるように制御している。これにより、作業者２０のうち許可条件を満たさない対象の逆行を自動的に防止することができる。
【００４５】
したがって、ＲＦＩＤタグ３０が付されている各作業者２０毎に、エリア間の特定の方向への移動を自動的に規制することができ、何ら清浄化行程を経ることなく比較的汚染されたエリアから清潔なエリアへ逆行されることを防ぎ、清潔なエリアの衛生管理を向上させることができる。
（２）
本実施形態における入場衛生管理システム１００では、入場管理装置１は、作業者２０が入口近傍エリアＡ５０（Ａ５１、Ａ５２、Ａ５３、Ａ５４、Ａ５５）に入ってから所定時間以上経過した後に同一のＲＦＩＤタグ３０からの特定信号を入口側受信機５０（５１、５２、５３、５４、５５）が再度受信した場合に、自動ドア１０を制限モードとする制御を行っている。このため、入口近傍エリアＡ５０（Ａ５１、Ａ５２、Ａ５３、Ａ５４、Ａ５５）に留まっている作業者２０が再び元のエリアへ逆行することを抑制できるようになる。また、入口近傍エリアＡ５０（Ａ５１、Ａ５２、Ａ５３、Ａ５４、Ａ５５）から一端離れた作業者２０であっても、所定時間経過後に再び入口近傍エリアＡ５０（Ａ５１、Ａ５２、Ａ５３、Ａ５４、Ａ５５）に入ってくると、入口側受信機５０がＲＦＩＤタグ３０からの特定信号を受信することで、入場管理装置１が自動ドア１０を制限モードとする制御を行っている。これにより、作業者２０のエリア間の逆行を確実に防止することができる。
【００４６】
（３）
本実施形態における入場衛生管理システム１００では、出口側受信機４０と入口側受信機５０とにおいて、それぞれ別々の発信機からの特定信号を受信するタイミングが重なることがあっても、制限モードが優先的に適用される。これにより、逆行の防止を徹底して、より確実に逆行を規制できる。
【００４７】
（４）
入場衛生管理システムにおいては、高レベルの清潔管理されている場所に、低レベルの清潔管理しか行われていない場所に滞在していた対象が移動してくると、高レベルでの清潔度を維持することが困難になることがある。
これに対して、本実施形態における入場衛生管理システム１００では、温度、湿度、気圧、除菌の各管理を行う空調装置１６が清潔エリアＡ２に設置されている。これにより、清潔エリアＡ２は、空調装置１６によって、準清潔エリアＡ３よりも高レベルの衛生管理が行われている。
【００４８】
ここでは、清潔度の異なるエリア間の移動を管理する場合に、汚染されているエリアから清浄化手段によって清浄管理が行われているエリアへの移動を防止することができる。このため、清浄管理が行われているエリアへのゴミやホコリや細菌等の侵入を抑え、衛生管理の質を向上させることが可能になる。
また、清浄管理を行う際において、清浄化手段を稼働させる場合の負荷を低減することも可能になる。
【００４９】
（５）
本実施形態における入場衛生管理システム１００では、データベース６０において、自動ドア１０を制限モードとした原因を作った作業者２０について、各作業者２０毎に違反者履歴データＤ５が記録されている。このため、例えば、清浄化行程を経ることなく汚染エリアＡ４から準清潔エリアＡ３へと頻繁に逆行しようとしている作業者２０を対象として、違反者履歴データＤ５に基づいて、違反者として注意を喚起することが可能となり、衛生管理意識を高める手段の一つとして利用することができる。
【００５０】
＜他の実施形態＞
以上、本発明の一実施形態について説明したが、本発明は上記実施形態に限定されるものではなく、発明の要旨を逸脱しない範囲で種々の変更が可能である。
（Ａ）
上記実施形態における入場衛生管理システム１００では、食品を取り扱う食品工場における作業者２０にＲＦＩＤタグ３０を携帯させる場合を例に挙げて説明した。
【００５１】
しかし、本発明はこれに限られるものではなく、各エリア間を移動するモノ（例えば、食品を包装する包装用容器等）や、モノを運搬するためのワゴン等に対してＲＦＩＤタグ３０を付するようにして上記システムを適用するようにしてもよい。
これにより、モノを介してバイ菌やホコリ等が食品に付着してしまうことを防止することができるようになる。
【００５２】
また、例えば、半導体製造工場のクリーンルームにおいて上記入場衛生管理システム１００を適用するようにしてもよい。
（Ｂ）
上記実施形態における入場衛生管理システム１００では、ローラー９１の指紋認証センサ８０を用いた指紋認証によって生体認証を行う場合を例に挙げて説明した。
【００５３】
しかし、本発明はこれに限られるものではなく、生体認証を行う方法としては、静脈認証装置を用いた静脈認証や、カメラ等を用いた顔認証、虹彩認証、網膜認証等であってもよい。このカメラ等を用いた顔認証、虹彩認証、網膜認証等によると、作業者が認証装置に触れることなく非接触で生体認証を行うことができる。このため、衛生管理の質をより向上させることが可能になる。
【００５４】
（Ｃ）
上記実施形態における入場衛生管理システム１００では、ローラー９１によるホコリの除去行程を作業者２０が履行したか否かを判断するために、ローラー９１に加速度センサ８１を搭載した場合について例に挙げて説明した。
しかし、本発明はこれに限られるものではなく、ローラー９１が十分に使用されたことを認識できればよいため、加速度センサ８１に変えて、振動センサを搭載するようにしてもよい。また、ローラー９１の操作部分に圧力センサを搭載するようにしてもよい。
【００５５】
（Ｄ）
上記実施形態における入場衛生管理システム１００では、清潔エリアＡ２に空調装置１６が設けられて清浄化管理が行われている場合について例に挙げて説明した。
しかし、本発明はこれに限られるものではなく、上記入場衛生管理システム１００は、特に空調装置１６が設けられていない工場等に設けられていてもよい。例えば、食品工場等において、食品の加熱殺菌処理が行われる場合に、その加熱殺菌処理が行われる前の時点においては、特別な衛生管理を必要としないが、加熱殺菌処理が行われてからパッケージに包装されて製品化されるまでの間は細菌やホコリから保護することが必要とされる場合に、上記入場衛生管理システム１００を導入してもよい。すなわち、このような工場では、加熱殺菌処理される前の食品を取り扱うエリアとから加熱殺菌処理された後の食品を取り扱うエリアへの移動を規制するように入場衛生管理システム１００を適用することができる。これにより、加熱殺菌処理を行った後の食品に、細菌やホコリが付着することを低減させることが可能になる。
【００５６】
（Ｅ）
上記実施形態における入場衛生管理システム１００では、データベース６０において予め作業者２０として入場される可能性の高い人間の指紋認証管理データＤ１が格納されており、入場管理に際して部外者による不法侵入を防止する場合について例に挙げて説明した。
【００５７】
しかし、本発明はこれに限られるものではなく、データベース６０は、上記指紋認証管理データＤ１を有していなくてもかまわない。この場合には、例えば、入場時においてＲＦＩＤタグ３０からの特定信号を受信する際にその者の生体認証データを取得して、対応付けて記憶させるようにしてもよい。この場合には、不法侵入等の管理はできないが、上記実施形態における作業者２０の認証の煩雑化防止および逆行防止という効果は十分に得ることができる。
【００５８】
（Ｆ）
上記実施形態における入場衛生管理システム１００では、作業者２０の逆行を規制する手段として自動ドア１０が採用された場合について例に挙げて説明した。
しかし、本発明はこれに限られるものではなく、制限モードを実現する場合において、開かないようにロックさせるドアや、音声で報知させる報知装置や、表示によって報知させる報知ランプ等が採用された入場衛生管理システム１００であってもよい。
【００５９】
ここで、ドアは、制限モードにおいては開かないようにロックされるため、有効に逆行を防止できる。また、報知装置も、制限モードにおいては音声で報知して作業者２０等に知らせることができるため、有効に逆行を防止できる。また、報知ランプも、制限モードにおいては表示によって報知して作業者２０等に知らせることができるため、有効に逆行を防止できる。
【００６０】
このように逆行を規制する手段として、ドア、報知装置、表示ランプのいずれが採用された場合であっても、作業者２０によるエリア間の逆行を有効に規制できる。
（Ｇ）
上記実施形態における入場衛生管理システム１００では、温度、湿度、気圧、除菌の管理を行う空調装置１６が清潔エリアＡ２に設置された入場衛生管理システム１００について例に挙げて説明した。
【００６１】
しかし、本発明はこれに限られるものではなく、清潔エリアＡ２に設置される衛生管理措置としては、例えば、粉塵除去管理を行う装置や、付着物除去の管理を行う装置等の衛生管理を行う装置であってもよい。
（Ｈ）
上記実施形態における入場衛生管理システム１００では、ローラー９１によるホコリ取りおよび手洗いを終えた作業者２０を対象として非接触に体温を測定する入場衛生管理システム１００について例に挙げて説明した。
【００６２】
しかし、本発明はこれに限られるものではなく、作業者２０の体温測定のタイミングは特に上記実施形態に限られたものではなく、例えば、エアシャワールームＡ１に作業者２０が一定時間滞在する場合に体温を赤外線センサ等で非接触に取得するようにしてもよい。
【産業上の利用可能性】
【００６３】
本発明によれば、エリア間の特定の方向への移動を自動的に規制することが可能になるため、エリア間において移動方向が定められている場合において管理対象となる人間やモノのエリア間の境界における移動方向を管理する入場衛生管理システム等への適用が特に有用である。
【図面の簡単な説明】
【００６４】
【図１】入場衛生管理システムが適用される食品工場のモデル図。
【図２】入場衛生管理システムの概略構成図。
【図３】入場衛生管理システムのブロック図。
【図４】入場許可不許可の具体例を示す図。
【図５】入場衛生管理システムの通過規制についての説明図。
【符号の説明】
【００６５】
１０    自動ドア（通過制限手段、ドア、報知装置、報知ランプ）
１６    空調装置（衛生管理手段）
２０    移動管理対象
３０    ＲＦＩＤタグ（発信機）
４０    出口側受信機（第１受信機）
４１    認証用受信機（第１受信機）
５０    入口側受信機（第２受信機）
６０    データベース（メモリ、個人生体データベース、履歴メモリ）
７０    制御部
８０    指紋認証センサ（認証装置、生体認証装置、指紋センサ）
８１    加速度センサ
８３    非接触温度センサ
９１    ローラー（清浄化手段、操作清浄化手段）
１００    入場衛生管理システム（移動管理システム）
Ａ４０    清浄エリア、準清浄エリア（クリーンエリア）
Ａ５０    清浄エリア、準清浄エリア（クリーンエリア）
Ｄ１    指紋認証管理データ（生体管理データ、指紋管理データ）
Ｄ３    個人別体温測定ポイント管理データ（体温測定ポイント管理データ）
Ｄ４    個人別平熱管理データ（平熱管理データ）
Ｄ８    指紋認証用取得データ（認証用取得データ、生体認証用取得データ）
【図１】
2007004631.tif 000003
【図２】
2007004631.tif 000004
【図３】
2007004631.tif 000005
【図４】
2007004631.tif 000006
【図５】
2007004631.tif 000007